(57)【特許請求の範囲】
【請求項１】
炭酸飲料が収容される瓶の開口部を選択的に開閉できるように締結される飲料飲用選択装置を備えた炭酸飲料容器において、
前記飲料飲用選択装置は、前記瓶の開口部と連通されるように締結されると共に外周面の所定位置に炭酸飲料が噴出される噴出部を備えた瓶の栓と、
この瓶の栓の内周面に回動自在に挿入されると共に前記噴出部と選択的に連通可能に連通部が備わったポンプ本体と、
前記ポンプ本体の中央部に挿入されて下部に移動する時瓶の内部を加圧し、上部に移動する時外部の空気が流入するように設けられると共に加圧後に回転時前記ポンプ本体と一緒に回転されて瓶の炭酸飲料が連通部と噴出部とを通して外部に噴出するようにした飲料選択取出し部と、
前記瓶の栓の内周面に挿入されて瓶の開口部に挿入されながら中央では所定直径に縮径されて延長されると共に圧縮空気が瓶の内部に排出される複数個の孔を備えた流体案内部材とを含むことを特徴とする炭酸飲料容器。
【請求項２】
前記飲料選択取出し部は、前記ポンプ本体の中央上部に下端部が上下に往復移動自在に挿入されると共にポンプ本体と噛み合って同期回転するように設けられたポンプ部材と、このポンプ部材の下部に弾性部材で構成されると共にポンプ本体の内周面を沿って移動しながら下部に移動する時瓶の内部に空気を送り出し上記内部を加圧し、上部に移動する時外部の空気が流入するようになったピストン部材と、前記ポンプ本体の中央下端に挿入されて前記ポンプ部材とピストン部材とが下部に移動する時ポンプ本体の内部空気が容器内部に流入するように弾性変形され、上部に移動する時ポンプ本体の中央内部に外部空気が流入するようにポンプ本体の下端部に密着されるエアーバルブとで構成されたことを特徴とする請求項１に記載の炭酸飲料容器。
【請求項３】
前記流体案内部材の縮径された下部には延長管が結合されたことを特徴とする請求項１または２に記載の炭酸飲料容器。
【請求項４】
前記瓶の栓の内周面に挿入されたポンプ本体が瓶の栓から離脱されることを防止するように前記瓶の栓の結合溝に挿入される突起が備わっているストップリングが結合されたことを特徴とする請求項３に記載の炭酸飲料容器。
【発明の詳細な説明】
【０００１】
【発明の属する技術分野】
本発明は炭酸飲料容器に関するものであり、特に容器内部の内容物を利用しない場合に容器内部の内容物中に存在する炭酸ガスが容器内部の空き空間に出てくることを防止するようになった炭酸飲料容器に関するものである。
【０００２】
【従来の技術】
従来炭酸飲料などが収容される飲料容器は図２３に示されたように、ペット瓶等でなった瓶１に飲料などが充填された状態で上部に栓２が締結されている。
【０００３】
従って、消費者が前記栓２を解いて瓶１に収容された炭酸飲料を飲用した後、前記瓶１に飲料が残った場合栓２を締めて炭酸飲料に溶けている炭酸ガスが外部に放出されないようにする。
【０００４】
【発明が解決しようとする課題】
しかし、前記瓶１に収容された炭酸飲料の炭酸ガスが外部に放出されないように栓２を締結した場合に、瓶内部の内容物中に存在する炭酸ガスが容器内部の空き空間に出てくるようになるので、再び栓２を開けて飲料を飲用する場合に瓶内部の空き空間にあった炭酸ガスが大部分外部に放出されて徐々に炭酸飲料の味がなくなる問題点があった。
【０００５】
従って、本発明は前記のような問題点を解消するために案出されたものであり、本発明の目的は、ポンプ部材を上下に作動して容器内部の圧力を増加させて内容物中に存在する炭酸ガスが容器内部の空き空間に放出されることを防止することによって、炭酸ガスが炭酸飲料に残っていて炭酸飲料の味が変わらないようにした炭酸飲料容器を提供することにある。
【０００６】
【課題を解決するための手段】
前記のような目的を達成するための本発明は、炭酸飲料が収容される瓶の開口部を選択的に開閉できるように締結される飲料飲用選択装置を備えた炭酸飲料容器において、前記飲料飲用選択装置は、前記瓶の開口部と連通されるように締結されると共に外周面の所定位置に炭酸飲料が噴出される噴出部を備えた瓶の栓と、この瓶の栓の内周面に回動自在に挿入されると共に前記噴出部と選択的に連通可能に連通部が備わったポンプ本体と、前記ポンプ本体の中央部に挿入されて下部に移動する時瓶の内部を加圧し、上部に移動する時外部の空気が流入するように設けられると共に加圧後に回転時前記ポンプ本体と一緒に回転されて瓶の炭酸飲料が連通部と噴出部とを通して外部に噴出するようにした飲料選択取出し部と、前記瓶の栓の内周面に挿入されて瓶の開口部に挿入されながら中央では所定直径に縮径されて延長されると共に圧縮空気が瓶の内部に排出される複数個の孔を備えた流体案内部材とを含むことを特徴とする。
【０００７】
【発明の実施の形態】
以下、本発明の実施の形態例による構成及び作用を添付図面によって詳細に説明する。
【０００８】
図１は、本発明による炭酸飲料容器が炭酸飲料を外部に排出しない状態の縦断面図であり、図２は、本発明による炭酸飲料容器が炭酸飲料を外部に排出する状態の縦断面図である。
【０００９】
本発明は、炭酸飲料Ｄなどが収容される瓶１００の開口部を選択的に開閉できるように締結される飲料飲用選択装置２００を備えた構造になっている。
【００１０】
ここで前記飲料飲用選択装置２００は、前記瓶１００の開口部１１０と連通されるように締結されると共に外周面の所定位置に炭酸飲料が噴出される噴出部２１２ｂを備えた瓶の栓２１０と、この瓶の栓２１０の内周面に回動自在に挿入されると共に前記噴出部２１２ｂと選択的に連通可能に連通部２２２ａが備わったポンプ本体２２０と、前記ポンプ本体２２０の中央部に挿入されて下部に移動する時瓶１００の内部を加圧し、上部に移動する時外部の空気が流入するように設けられると共に加圧後に回転時前記ポンプ本体２２０と一緒に回転されて瓶１００内部の炭酸飲料が連通部２２２ａと噴出部２１２ｂとを通して外部に噴出するようにした飲料選択取出し部２３０と、前記瓶の栓２１０の内周面に挿入されて瓶１００の開口部１１０に挿入されながら中央では所定直径に縮径されて延長されると共に前記瓶の栓２１０の内周面との間には圧縮空気が瓶１００の内部に排出される通路を備えた流体案内部材２４０を含む。
【００１１】
そして前記飲料選択取出し部２３０は、前記ポンプ本体２２０の中央上部に下端部が上下に往復移動自在に挿入されると共にポンプ本体２２０と噛み合って同期回転するように設けられたポンプ部材２３１と、このポンプ部材２３１の下部に弾性材質とで構成されると共にポンプ本体２２０の内周面を沿って移動しながら下部に移動する時瓶１００の内部に空気を加圧し、上部に移動する時外部の空気が流入するようになったピストン部材２３２と、前記ポンプ本体２２０の中央下端に挿入されて前記ポンプ部材２３１とピストン部材２３２とが下部に移動する時ポンプ本体２２０の内部空気が容器内部に流入するように弾性変形され、上部に移動する時ポンプ本体２２０の中央内部に外部空気が流入するようにポンプ本体２２０の下端部に密着されるエアーバルブ２３３とで構成されている。
【００１２】
また前記流体案内部材２４０の縮径された下部には瓶１００の底と近接した位置まで配置されるように延長管２５０が結合されている。
【００１３】
一方前記瓶の栓２１０の内周面に挿入されたポンプ本体２２０が瓶の栓２１０から離脱されることを防止するように瓶の栓２１０の一側端にストップリング２６０が結合されている。
【００１４】
また前記ポンプ本体２２０の連通部２２２ａを通して瓶の栓２１０の噴出部２１２ｂに噴出する飲料を口で直接飲用したりカップを用いて飲むことができるように一定長さのノズル２７０が設けられている。
【００１５】
前記瓶の栓２１０の内周面とポンプ本体２２０の外周面が密着される所には前記連通部２２２ａを通して排出される飲料が前記瓶の栓２１０の内周面とポンプ本体２２０の外周面間に噴出されることを防止するように連通部２２２ａの上下に一定間隔を置いてポンプ本体２２０の外周面に漏れ防止部材２８０が設けられている。
【００１６】
ここで前記漏れ防止部材２８０は、一般にオー・リング( Ｏ−ｒｉｎｇ) を用いることが望ましい。
【００１７】
また前記瓶１００の開口部１１０が形成された上面にも前記瓶の栓２１０と締結された部位に飲料が漏れることを防止するようにオー・リングのような漏れ防止部材２９０が設けられている。
【００１８】
以下では本発明の各々の構成に対してさらに詳細に説明する。
【００１９】
まず前記瓶の栓２１０は、図１ないし図５に示されたように、前記瓶１００と締結されるように内部にねじ部２１１ａが形成された締結部２１１と、前記ポンプ本体２２０が挿入されて安着するように内部に据え掛け段差２１２ａと飲料を噴出できるように貫通された噴出部２１２ｂとを備えたポンプ本体安着部２１２を含む。
【００２０】
またポンプ本体安着部２１２の上側外周面には前記ストップリング２６０が結合される結合溝２１２ｃが形成されている。
【００２１】
また前記締結部２１１の外周面には組立が容易なようにローレット切りになっている。
【００２２】
一方ポンプ本体２２０は、図１と図２及び図６ないし図８に示されたように、前記ピストン部材２３２が上下に移動するように形成されると共にエアーバルブ２３３が底面の下部から挿入されるようになった円通部２２１と、この円通部２２１の上部面所定位置に断面逆Ｌ字形状で延長されて前記ポンプ本体安着部２１２に挿入されて据え掛け段差２１２ａに安着するようにした飲料排出部２２２とで構成されている。
【００２３】
前記円通部２２１は、上部が開口されて下部は詰まっているが下部には前記エアーバルブ２３３が挿入されて固定される結合孔２２１ａと、この結合孔２２１ａの周囲にエアーが排出されるエアー排出口２２１ｂが多数個貫通形成されている。
【００２４】
また前記飲料排出部２２２は、前記噴出部２１２ｂと連通される位置に連通部２２２ａが形成されて、この連通部２２２ａの上下部に一定間隔を置いて外周面に前記漏れ防止部材２８０が挿入されるための円形溝２２２ｂが形成され、上部には多数個の溝２２２ｃが前記ポンプ部材２３１と同期回転自在に形成される。
【００２５】
前記ポンプ部材２３１は、図１と図２及び図９ないし図１２に示されたように、前記溝２２２ｃに挿嵌される突起２３１ａが下部面に一定角度で備わった取っ手部２３１ｂと、この取っ手部２３１ｂから一定長さで延長された延長部２３１ｃと、この延長部２３１ｃの下部に一体でこま形状で延長されたポンピング部２３１ｄとで構成されている。
【００２６】
ここで前記ポンピング部２３１ｄには上部にドーナツ形状の円形溝２３１ｅが形成されて、この円形溝２３１ｅと一致する位置に一定角度で切取溝２３１ｆが形成されている。
【００２７】
前記延長部２３１ｃは断面が＋字形状で構成されているので、これは収縮がおきなくて射出成形により製作することが容易なように構成したことである。
【００２８】
前記流体案内部材２４０は、図１と図２及び図１３ないし図１５に示されたように、前記ポンプ本体２２０の飲料排出部２２２に下部から挿入されると共に前記瓶の栓２１０の据え掛け段差２１２ａに挿入される挿入部２４１と、この挿入部２４１で延長されてポンプ本体安着部２１２の内側下部に挿入されると共に円周方向に多数個の孔２４２ａが形成された結合部２４２と、この結合部２４２から下部に下がりながら縮径されて前記延長管２５０が挿入されるように一定長さ延長された案内部２４３とで構成されている。
【００２９】
一方前記ピストン部材２３２は、図１と図２及び図１６ないし図１８に示されたように、外周面には前記ポンプ本体２２０の円通部２２１内に収容されてポンプ部材２３１と一緒に上下に密着されて移動する摩擦円通部２３２ａと、この摩擦円通部２３２ａの内部に形成されてポンプ部材２３１のポンピング部２３１ｄを受容するように下部に傾斜面ｗを備えたポンピング部収容溝２３２ｂと、このポンピング部収容溝２３２ｂの下部に貫通形成された空気流入口２３２ｃと、前記ポンピング部収容溝２３２ｂの上部に貫通形成されて空気流路形成部２３２ｄとで構成されている。
【００３０】
ここで前記空気流路形成部２３２ｄは、円形の孔に一定角度で溝が形成されたものであり前記ポンピング部２３１ｄが抜けないようにゴム材質で構成されている。
【００３１】
また前記エアーバルブ２３３は、図１と図２及び図１９に示されたように、前記結合孔２２１ａに挿入される矢じり形状のフック２３３ａと、このフック２３３ａと延長されて前記円通部２２１に形成されたエアー排出口２２１ｂを下の方から遮るようになったバルブ弁２３３ｂとで構成されている。
【００３２】
一方ストップリング２６０は、図１と図２及び図２０ないし図２２に示されたように、断面が逆Ｌ字形状でなると共に上部にはポンプ本体２２０の円通部２２１が瓶の栓２１０に挿入された状態で上部に離脱されないように一定直径の円形孔２６１が形成されて、内側壁には前記瓶の栓２１０の結合溝２１２ｃに挿入される突起２６２が備わっている。
【００３３】
次には前記のように構成された本発明の炭酸飲料容器の作用に対して説明する。
【００３４】
図1 のように組立てられた状態で、前記飲料飲用選択装置２００の飲料選択取出し部２３０を操作するようになると瓶１００内の圧力が上昇して炭酸飲料Ｄに溶けていた炭酸ガスが瓶１００の空き空間に出てこなくなるので飲料の味が長らく維持されるようになる。
【００３５】
さらに詳細に説明すると、前記飲料選択取出し部２３０のポンプ部材２３１をつかんで下部に移動する時、前記ポンプ部材２３１のポンピング部２３１ｄがピストン部材２３２の空気流入口２３２ｃを遮って下部に移動するので前記ポンプ本体２２０の円通部２２１にあった空気が加圧されながらエアー排出口２２１ｂを通してエアーバルブ２３３を押しながら加圧されるようになる。( 図１の状態)以後、前記飲料選択取出し部２３０のポンプ部材２３１をつかんで上部に移動する時、前記ポンプ部材２３１のポンピング部２３１ｄが遮っていたピストン部材２３２の空気流入口２３２ｃを開けて上部に移動するので、この時前記円通部２２１の下部面に形成されたエアー排出口２２１ｂをエアーバルブ２３３が遮っていて、外部の空気はポンプ部材２３１の下部面と前記ポンプ本体２２０の円通部２２１上部面に空気が流入すると同時に延長部２３１ｃ→ピストン部材２３２の空気流路形成部２３２ｄ→円形溝２３１ｅ→切取溝２３１ｆ→空気流入口２３２ｃを通して円通部２２１の内部に空気が流入するようになる〔仮想線（図中では一点鎖線）の状態〕。
【００３６】
以後、再び前記飲料選択取出し部２３０のポンプ部材２３１をつかんで下部に移動する時と上部に移動する時は前記のような作動を繰り返して遂行するようになる。
【００３７】
一方図１の状態でポンプ部材２３１をつかんで回転させるようになるとポンプ部材２３１の下部に突出された突起２３１ａが溝２２２ｃに挿入されて回転力が伝達されるので連通部２２２ａが噴出部２１２ｂと一致するようになって( 図２の状態) 延長管２５０と流体案内部材２４０を通して炭酸飲料Ｄが上昇しながら連通部２２２ａと噴出部２１２ｂ及びノズル２７０を通して吐出されるようになる。
【００３８】
この時引続きポンプ部材２３１を上下に作動するようになると持続的に炭酸飲料Ｄが噴出されるようになる。
【００３９】
以後、再び前記ポンプ部材２３１をつかんで回転させるようになるとポンプ部材２３１の下部に突出された突起２３１ａが溝２２２ｃに挿入されて回転力が伝達されるので連通部２２２ａが噴出部２１２ｂと外れて( 図１の状態) 炭酸飲料Ｄが上昇できなくなる。
【００４０】
次に前記ポンプ部材２３１をつかんで上下に作動するようになると炭酸飲料Ｄに圧力が加わり炭酸飲料中に溶けている炭酸ガスが瓶１００の空き空間に発散されることを抑制するようになるので炭酸飲料の味が変わらないようになる。
【００４１】
【発明の効果】
前記のように説明したところによると、ポンプ部材を上下に作動して容器内部の圧力を増加させて内容物中に存在する炭酸ガスが容器内部の空き空間に放出されることを防止することによって、炭酸ガスが炭酸飲料に残っていて炭酸飲料の味が長らく変わらないようになる効果がある。
【図面の簡単な説明】
【図１】本発明による炭酸飲料容器が炭酸飲料を外部に排出しない状態の縦断面図である。
【図２】本発明による炭酸飲料容器が炭酸飲料を外部に排出できる状態の縦断面図である。
【図３】本発明による瓶の栓の斜視図である。
【図４】図３の平面図である。
【図５】図４のＡ−Ａ線矢視断面図である。
【図６】本発明によるポンプ本体の斜視図である。
【図７】図６のＢ−Ｂ線矢視断面図である。
【図８】図６のＣ−Ｃ線矢視断面図である。
【図９】本発明によるポンプ部材の斜視図である。
【図１０】図９のＤ−Ｄ線矢視断面図である。
【図１１】図１０のＦ−Ｆ線矢視一部断面図である。
【図１２】図９のＥ−Ｅ線矢視断面図である。
【図１３】本発明による流体案内部材の斜視図である。
【図１４】図１３の平面図である。
【図１５】図１４のＧ−Ｇ線矢視断面図である。
【図１６】本発明によるピストン部材の斜視図である。
【図１７】図１６の平面図である。
【図１８】図１７のＨ−Ｈ線矢視断面図である。
【図１９】本発明のエアーバルブを示す斜視図である。
【図２０】本発明のストップリングを示す斜視図である。
【図２１】図２０の平面図である。
【図２２】図２１のＪ−Ｊ線矢視断面図である。
【図２３】従来炭酸飲料容器の分解斜視図である。
【符号の説明】
１００: 瓶
２００: 飲料飲用選択装置
２１０: 瓶の栓
２２０: ポンプ本体
２３０: 飲料選択取出し部
２４０: 流体案内部材
２５０: 延長管
２６０: ストップリング
２７０: ノズル
２８０、２９０: 漏れ防止部材
【図１】
0004282888.tif 000002
【図２】
0004282888.tif 000003
【図３】
0004282888.tif 000004
【図４】
0004282888.tif 000005
【図５】
0004282888.tif 000006
【図６】
0004282888.tif 000007
【図７】
0004282888.tif 000008
【図８】
0004282888.tif 000009
【図９】
0004282888.tif 000010
【図１０】
0004282888.tif 000011
【図１１】
0004282888.tif 000012
【図１２】
0004282888.tif 000013
【図１３】
0004282888.tif 000014
【図１４】
0004282888.tif 000015
【図１５】
0004282888.tif 000016
【図１６】
0004282888.tif 000017
【図１７】
0004282888.tif 000018
【図１８】
0004282888.tif 000019
【図１９】
0004282888.tif 000020
【図２０】
0004282888.tif 000021
【図２１】
0004282888.tif 000022
【図２２】
0004282888.tif 000023
【図２３】
0004282888.tif 000024